(57)【要約】  本発明は、少なくとも２つの車輪（２５）用のサスペンショングループ（３）を備えたメインフレーム（２）を備える３つ以上のチルティング車輪を有する車両（１００）を記載している。サスペンショングループ（３）は、ヒンジ（８）を介してメインフレーム（２）に連結され、ヒンジ（８）の軸に沿ってサスペンショングループ（３）に対してメインフレーム（２）を自由に回転させる。サスペンショングループ（３）は、各車輪（２５）用の旋回アーム（６）を備える。各旋回アーム（６）は、エラストマーからなる１つ以上の弾性要素（９）を介在させることによってサスペンショングループ（３）に拘束されている。各旋回アーム（６）は、エラストマーからなる１つ以上の弾性要素（９）を介在させることによってサスペンショングループ（３）に拘束されている。弾性要素（９）は、サスペンションまたは減衰手段として、あるいは関連する機能の両方と共に作動する。各弾性要素（９）は、ヒンジ（８）と動作的に関連する閉多角形断面を有する１つ以上のピン（７）と、サスペンショングループ（３）で得られる閉多角形断面を有する１つ以上のチャネル（３２）との間で得られる空洞内で、圧縮され加圧下で作動する。各チャネル（３２）の閉多角形断面は、かかる閉多角形断面を有するチャンネル（３２）内で回転する各ピン（７）の閉多角形断面に対して互換性がある形状とより大きい表面を有する。【選択図】図１
2019525870.tif 000002
【特許請求の範囲】
【請求項１】
少なくとも２つの車輪（２５）用のサスペンショングループ（３）を備えたメインフレーム（２）を備え、３つ以上のチルティング車輪を有する車両（１００）において、
前記サスペンショングループ（３）がヒンジ（８）を介して前記メインフレーム（２）に接合され、前記ヒンジ（８）の軸に沿って前記メインフレーム（２）が前記サスペンショングループ（３）に対して自由に回転することができ、
前記サスペンショングループ（３）は、前記各車輪（２５）用の旋回アーム（６）を有し、前記車両（１００）は、前記各旋回アーム（６）がエラストマーからなる１つ以上の弾性要素（９）を介在して前記サスペンショングループ（３）に拘束されることによって特徴付けられ、前記弾性要素（９）はサスペンションとしてまたは減衰手段としてまたは関連する機能の両方で作動し、前記各弾性要素（９）は、前記サスペンショングループ（３）で得られる前記ヒンジ（８）と作動的に関連する閉多角形断面を有する１つ以上のピン（７）と、閉多角形断面を有する１つ以上のチャンネル（３２）との間で得られる空洞内で圧縮され加圧下で作動し、前記各チャンネル（３２）の閉多角形断面は、前記閉多角形断面を有するチャンネル（３２）内で回転する前記各ピン（７）の閉多角形断面に対して、互換性がある形状とより大きい表面を有することを特徴とする車両（１００）。
【請求項２】
前記旋回アーム（６）が、互いに独立して、かつ前記ヒンジ（８）によって前記サスペンショングループ（３）の周りでの前記メインフレーム（２）の回転とは独立に回転し、前記ヒンジ（８）は、摩擦低減装置（４）によって前記サスペンショングループ（３）に対する前記メインフレーム（２）の回転を可能にする単一のピンを有していることを特徴とする請求項１に記載の車両（１００）。
【請求項３】
前記摩擦低減装置（４）が、転がり軸受、玉軸受、ころ軸受またはブッシュからなることを特徴とする請求項１に記載の車両（１００）。
【請求項４】
十字継手（１３）が、ピン（１４）によって、前記回転ピン（７）に固定されるそれぞれのアタッチメントと反対側の各前記旋回アーム（６）の端部に収容され、スピンドル（１５）が２つのピン（１６、１７）を介して前記十字継手（１３）に固定され、スピンドル（１５）のピンが、その上に嵌装されたホイール保持ハブ（２１）を有し、前記ホイール保持ハブ（２１）は車輪軸受け（２２）上で自由に回転し、中心ナット（２７）によって前記スピンドル（１５）に固定されており、前記スピンドル（１５）はしたがって、前記車輪（２５）の上下運動を助けるように前記旋回アーム（６）の周りを回転することができ、前記スピンドル（１５）はまた、前記相応のピン（１６、１７）を通る操舵軸に関して左右に操縦することができることを特徴とする請求項１〜３のいずれか一項に記載の車両（１００）。
【請求項５】
前記ホイール保持ハブ（２１）はブレーキディスク（２３）の座部でもあり、前記ブレーキディスク（２３）は、前記スピンドル（１５）に順に固定されるブレーキキャリパ（２４）と組になって作動し、前記車輪（２５）は、キャンバータイロッド（２０）によって制御されて前記メインフレーム（２）を傾斜させることによって傾斜することを特徴とする請求項４に記載の車両（１００）。
【請求項６】
前記サスペンショングループ（３）が、
−  それぞれ前記チャネル（３２）を形成し、下部パイプに接合された閉多角形断面を有する４つの中空ハウジングの組立体からなり、前記下部パイプは前記ヒンジ（８）の前記摩擦低減装置（４）の着座部である、モノブロックの本体（１２）と、
−  上部剛性補強材と、を有し、
前記本体（１２）の４つの前記チャネル（３２）の内側に、閉多角形断面を有する４つの回転ピン（７）が配置され、該回転ピン（７）はボルト（１０）を介して対で２つの前記旋回アーム（６）に接合され、駆動ピン（１１）によって定位置に保持され、前記旋回アーム（６）は閉多角形断面を有する４つの前記回転ピン（７）に固定的に連結され、閉多角形断面を有する４つの前記ピン（７）を同時に回転させることなく前記旋回アーム（６）を回転させることができない、ことを特徴とする請求項１〜５のいずれか一項に記載の車両（１００）。
【請求項７】
閉多角形断面を有する４つの前記ピン（７）が、大きな干渉を伴って座位に押し込まれる前記弾性要素（９）との取り付け干渉によって前記本体（１２）内の座位に保持されることを特徴とする請求項６に記載の車両（１００）。
【請求項８】
前記旋回アーム（６）はそれぞれ閉多角形断面を有するそれぞれの前記ピン（７）に拘束され、それらと共に回転し、それぞれの前記車輪（２５）が路面の粗さを吸収するように垂直方向に動くことを可能にし、閉多角形断面を有する前記ピン（７）が、回転に抗するエラストマー（９）からなる前記要素の抵抗に打ち勝って回転し、座位に保持されることを特徴とする請求項６に記載の車両（１００）。
【請求項９】
前記本体（１２）内に圧縮されたエラストマー（９）からなる前記要素は、それぞれの前記車輪（２５）に負荷がないときは平衡状態にあり、閉多角形断面を有するそれぞれの前記ピン（７）の回転による負荷のもとで変形し、回転に抗して開始位置に戻る傾向があり、前記旋回アーム（６）の捻りが座位にあるエラストマー（９）からなる前記要素を変形させ、それによって負荷をかけ、それはすべての意図および目的においてばねのように振舞うことを特徴とする請求項６に記載の車両（１００）。
【請求項１０】
前記サスペンショングループ（３）は、前記車両（１００）の中心軸に沿って長手方向に配置され、前記ヒンジ（８）を介して前記メインフレーム（２）接続された閉多角形断面を有する単一の前記ピン（７）を有し、
閉多角形断面を有する前記単一のピン（７）は、エラストマー（９）からなる前記要素が係合する座部であり、該単一のピン（７）に前記車輪（２５）のそれぞれの前記旋回アーム（６）が、前記単一のピン（７）を中心として互いに独立して回転するように固定され、閉多角形断面を有する前記単一のピン（７）は、前記車両（１００）の傾斜運動を許容するように、前記ヒンジ（８）を介して前記メインフレーム（２）を中心に同時に回転することを特徴とする請求項１〜５のいずれか一項に記載の車両（１００）。
【請求項１１】
各前記旋回アーム（６）に対して１つ以上のクランプ（３０）を有し、前記クランプ（３０）は、閉多角形断面を有する前記単一のピン（７）と閉多角形断面を有するそれぞれの前記チャンネル（３２）の間で、エラストマー（９）からなる前記要素を圧縮し、エラストマー（９）からなる前記要素の介在によって、閉多角形断面を有する前記単一のピン（７）に前記旋回アーム（６）を弾性的に拘束することを特徴とする請求項１０に記載の車両（１００）。
【請求項１２】
閉多角形断面を有する前記チャネル（３２）は、一部は各前記旋回アーム（６）の成形された端部、一部は各前記クランプ（３０）から得られ、各前記クランプ（３０）は、ねじ（３１）によってそれぞれの前記旋回アーム（６）の前記成形された端部に固定されていることを特徴とする請求項１１に記載の車両（１００）。
【請求項１３】
前記弾性要素（９）はゴムまたはその派生物から製造されることを特徴とする請求項１〜１２のいずれか一項に記載の車両（１００）。
【請求項１４】
前記ピン（７）は、それぞれの前記チャネル（３２）と同様に、四角形の断面を有することを特徴とする請求項１〜１３のいずれか一項に記載の車両（１００）。
【発明の詳細な説明】
【技術分野】
【０００１】
本発明は、反応拘束サスペンションを有する３つ以上のチルティング車輪を有する車両に関する。本発明の対象サスペンションは、同一の横軸上に配設された少なくとも一対の車輪を有する３つ以上のチルティング車輪を有する車両に適用可能である。
【背景技術】
【０００２】
チルティング車輪を有する車両は、同じ横軸に配設された車輪を有し、コーナリング時の運転者とメインフレームの傾斜に追随して、車両の長手方向軸に関して旋回する。本発明の対象サスペンションは、操舵輪と組み合わされた前部と、チルティング車輪を有する車両用の単純な非操舵のサスペンショングループとして後部の両方に適用可能である。
【０００３】
世界中で、特に大都市で使用される３つまたは４つの車輪を有するチルティング車輪を備えた提案された車両が増え続けている。現在知られているチルティング車輪を有する車両は、３つまたは４つのチルティング車輪を有することができる。三輪車の場合、大抵の場合は、同一軸に配設された車輪は前方に配置されており、したがって操舵輪である。
【０００４】
現在知られているチルティング車輪を有する車両は、概念的には以下の２つのカテゴリに分類することができる。
【０００５】
１）サスペンション（ひいては車輪）の拘束軸がメインフレームの軸の傾斜に追従するように、メインフレームに固定的に接続された平行四辺形構造に結合されて取り付けられたオートバイ技術（伸縮フォークまたは引張り／押しアーム）由来のサスペンションを使用する車両。
【０００６】
２）ホイールハブとメインフレームとの間で連結旋回アームと平行四辺形構造を形成する適切なタイロッドを介して車輪を旋回させる自動車技術（関節型四辺形またはマクファーソンまたはダブルウィッシュボーンタイプ）由来のサスペンションを使用する車両。このようにしても、車輪はメインフレームの傾斜角に追従する。
【０００７】
例えば、文献ＵＳ２０１１／０１６７８３８Ａ１は、関節型四辺形タイプの構造方式を有する独立車輪を備えたフロントサスペンションを備えた四輪自動車を示している。各前輪はゴム製の弾性要素を有するダンパーを備えている。ＵＳ２０１５／０２９０９９０Ａ１の図６に明確に強調されているように、各前輪はまた、車両のメインフレームに固定的に接続された平行四辺形構造のそれぞれに取り付けられている。しかし、文献ＵＳ２０１５／０２９０９９０Ａ１に示されている車両は、前述のカテゴリ２に含まれるといえども、チルティング車輪を有する車両と考えることはできない。これは、文献ＵＳ２０１５／０２９０９９０Ａ１に示されている車両のフロントサスペンショングループがメインフレーム１に関してヒンジ軸に沿って自由に回転することができないという事実によるものである。文献ＵＳ２０１５／０２９０９９０Ａ１に示されている車両は旋回する前輪を有しているが、チルティング車輪を有している車両ではない。
【０００８】
文献ＵＳ４３６０２２４には別の例が見られ、それは三輪車を示しており、走行中にこの特定のタイプの車両をより安定させるために提案されている。その結果、文献ＵＳ４３６０２２４に示されている車両は２つのチルティング車輪を備えているが、運転者がいない時と走行中の両方において、メインフレームを垂直位置に維持する目的でそれぞれのフロントサスペンショングループに従来のトーションバーが設けられている。前車軸にトーションバーが存在することは、車両のフロントサスペンショングループの構造的に複雑化することと同様に、他方で通常の二輪車または３つ以上の完全に傾斜する車輪を有する車両で生じるような車両自体のコーナリング中の自由な傾斜を妨げる。
【０００９】
さらに、文献ＵＳ４３６０２２４に示されている車両では、ゴム製の弾性要素を含む唯一の減衰グループが、トーションバーと旋回アームとの間の接合インターフェースとして使用されている。この減衰グループは、旋回アーム上のトーションバーの応力を減衰させるように作用するが、文献ＵＳ４３６０２２４に記載されたようにおよび図４に明らかに見られるように、右旋回アームが減衰グループの外側体に接続され、一方、左旋回アームが同じ減衰体の内側体に接続されているため、独立した車輪の状態を作り出していない。減衰グループの２つの内外側体間の弾性要素は、共有され、それ故２つの旋回アームは独立ではなく、同じエラストマーに作用し、さらに両方ともトーションバーに拘束されている。文献ＵＳ４３６０２２４に示されている車両はしたがって、自由に傾けられずかつ独立して減衰されない前輪を有する。
【先行技術文献】
【特許文献】
【００１０】
【特許文献１】ＵＳ２０１１／０１６７８３８Ａ１
【特許文献２】ＵＳ２０１５／０２９０９９０Ａ１
【特許文献３】ＵＳ４３６０２２４
【発明の概要】
【発明が解決しようとする課題】
【００１１】
一般に、チルティング車輪を有する車両は、それらが３つまたは４つの車輪を有するかどうかにかかわらず、類似の二輪モデルより明らかに大きい快適性および特に能動的安全性の特性を提示しているため、現在増大的に市場に出回っている。一方で、これらの特性は、従来の二輪車に対して、この種の車両の製造を困難にし、重くし、経済的に不利にする多数の構成要素と共に、実質的な構造上の複雑さを代償に得られる。
【００１２】
本発明の目的はしたがって、極めて簡単で費用効果が高くそして特に機能的な方法で、先行技術の前述の欠点を克服することができる反応拘束サスペンションを有する３つ以上のチルティング車輪を有する車両を製造することである。
【００１３】
詳細には、本発明の目的は、操縦するのが軽いチルティング車輪を有し、極めて単純化されたサスペンション構造を有するが独立した車輪を有しかつ構成要素数が少ない車両を製造することである。
【００１４】
本発明の他の目的は、簡単な構造および保守を有し同時に優れた動的性能および走行快適性を有するチルティング車輪を有する車両を製造することである。
【課題を解決するための手段】
【００１５】
本発明によるこれらおよび他の目的は、請求項１に輪郭付けされているように、反応拘束サスペンションを有する３つ以上のチルティング車輪を有する車両を製造することによって達成される。
【００１６】
本発明のさらなる特徴は、本明細書の不可欠な部分である従属請求項によって強調されている。
【図面の簡単な説明】
【００１７】
【図１】本発明によるチルティング車輪を有する車両の第１実施形態の斜視図である。
【図２】図１の車両の左前輪側から見た構成要素の分解斜視図である。
【図３】図１の車両のサスペンショングループのみの分解図である。
【図４】右旋回アームに対して左旋回アームの移動の一例を示す、図３のサスペンショングループの正面図である。
【図５】左側に向かって２０°の傾斜で示されている、図１の車両の正面図である。
【図６】右側に向かって２０°の傾斜で示されている、図１の車両の他の正面図である。
【図７】本発明によるチルティング車輪を有する車両の第２の実施形態の斜視図である。
【図８】図７の車両のフロントサスペンショングループの構成要素の分解図である。
【図９】シングルアームの独立した旋回運動を示す、図８のサスペンショングループの正面図である。
【図１０】車両のフレームの周りのサスペンショングループの旋回運動を示す、図８のサスペンショングループの他の正面図である。
【図１１】旋回運動がどのようにコーナリングを可能にするかを示すのに有用な図７の車両の正面図である。
【図１２】旋回運動がどのように隆起した障害物を乗り越えることを可能にするかを示すのに有用な図７の車両の別の正面図である。
【発明を実施するための形態】
【００１８】
以下に示す実施形態では、本発明の対象サスペンショングループは、前車軸上に一対の操舵輪を有する３つのチルティング車輪を有する車両に適用される。本発明の基礎を形成する革新的なアイデアは、いくつかの要素が多くの機能を同時に果たすようにして得られるサスペンショングループの単純化である。
【００１９】
本発明による反応拘束サスペンションを有する３つ以上のチルティング車輪を有する車両の特徴および利点は、添付の概略図を参照しながら、限定の目的ではなく例として与えられる以下の説明からより明らかになるであろう。
【００２０】
図面を参照すると、本発明による反応拘束サスペンションを備えたチルティング車輪を有する車両の２つの好ましい実施形態が示されている。チルティング車輪を有する車両は、全体として参照番号１００で示されており、サスペンショングループ３がヒンジでその上に取り付けられているメインフレーム２を備えている。
【００２１】
サスペンショングループ３は、それぞれの摩擦低減装置４を介して、メインフレーム２のピンまたはヒンジ８の軸に関して自由に回転する。サスペンショングループ３は、締結リング５を介して、メインフレーム２のピンまたはヒンジ８に固定されている。摩擦低減装置４は、例えば、転がり軸受、または玉軸受、またはころ軸受からなることができる。摩擦低減装置４は、単純なブッシュからなることもできる。
【００２２】
図１〜図６の実施形態では、２つの旋回アーム６が、ねじ１０および駆動ピン１１を介してサスペンショングループ３中に固定されている。図７〜図１２の実施形態では、旋回アーム６は一方、以下で明確に特定されるように、クランプ３０およびねじ３１を介してサスペンショングループ３上に固定されている。実施形態に関係なく、十字継手１３は、ピン１４を介して２つの旋回アーム６の反対側の端部に収容されている。スピンドル１５が、２つのピン１６および１７を介して十字継手１３に固定されている。
【００２３】
ホイール保持ハブ２１が、スピンドル１５に固定的に接続された別のピンに嵌装され、前記ハブ２１は、車輪軸受け２２上で自由に回転し、中心ナット２７によってスピンドル１５に固定されている。車輪２５はねじ２６を介してハブ２１に固定されている。スピンドル１５は、このようにして各車輪２５の上下運動を助けるように旋回アーム６の周りを回転することができる。スピンドル１５はまた、２本のピン１６，１７を通る軸線に関して左および右に操舵することができる。
【００２４】
ホイール保持ハブ２１は、ブレーキディスク２３の座部でもあり、ブレーキディスク２３は、スピンドル１５に順に固定されるブレーキキャリパー２４と組になって作動する。車輪２５は、キャンバータイロッド２０によって制御されてメインフレーム２を傾斜させることによって傾斜する。
【００２５】
リンクおよび操舵制御システムに関する限り、それらは動作原理および構成要素において、通常の生産の最も一般的な四輪バギーまたはＡＴＶ（「全地形対応車（Ａｌｌ  Ｔｅｒｒａｉｎ  Ｖｅｈｉｃｌｅ）」の頭字語）と実質的に同様である。したがって、車両１００のリンクおよび操舵制御システムの機能の詳細に入る必要はないと考えられる。
【００２６】
図１〜図６の実施形態では、サスペンショングループ３はモノブロックの本体１２を有し、該本体１２は、閉多角形断面を有するそれぞれのチャネル３２を形成する閉多角形断面を有する４つの中空ハウジングの組立体からなる。閉多角形断面を有するこれらのチャネル３２は、ピンまたはヒンジ８の軸受４の着座部である下部パイプに接合されている。本体１２はまた上部剛性補強材を備えている。
【００２７】
本体１２内では、閉多角形断面を有するそれぞれのチャネル３２内に、それぞれのピンの機能を有する閉多角形断面を有する４つの中央要素７が配置されている。閉多角形断面を有するピン７は、ボルト１０を介して対で２つの旋回アーム６に接合され、駆動ピン１１によって定位置に保持される。この構造は旋回アーム６を閉多角形断面を有するピン７に固定的に接続し、これにより閉多角形断面を有するピン７を同時に回転させることなく旋回アーム６を回転させることができないようになっている。
【００２８】
閉多角形断面を有するピン７は、大きな干渉を伴って座位に押し込まれるエラストマー９からなる１つ以上の要素との取り付け干渉のおかげで、本体１２内の座位に保持される。言い換えれば、エラストマー９で作られた各要素は、サスペンショングループ３において得られる閉多角形断面を有する１つ以上のピン７と閉多角形断面を有する１つ以上のチャネル３２との間で得られる空洞内で圧縮されおよび加圧下で作動し、そこでは、各チャンネル３２の閉多角形断面は、そのようなチャンネル３２の内側で回転する各ピン７の閉多角形断面に対して、互換性がある形状とより大きな表面を有している。図３および図４でより明確に分かるように、旋回アーム６はそれぞれ閉多角形断面を有するそれぞれのピン７に拘束され、閉多角形断面を有するピン７とともに回転し、路面の粗さを吸収できるようにそれぞれの車輪２５が垂直方向に動くことを許容する。図に示すように、ピン７は、それぞれのチャネル３２と同様に、サスペンショングループ３の大きさを最小にするように、限定することなく好ましくは四角形、より好ましくは正方形の断面を有している。
【００２９】
閉多角形断面を有するピン７は、回転に抗するエラストマー９で作られた要素の抵抗に打ち勝って回転し、サスペンショングループ３の本体１２のそれぞれの閉多角形断面を有するチャンネル３２の座位に保持される。図４でより明確に見られるように、閉多角形断面を有する各ピン７と閉多角形断面を有するそれぞれのチャネル３２との間に圧縮されたエラストマー９からなる要素は、図４を下向きに見て左側の旋回アーム６のように、それぞれの車輪２５に負荷がないときは、平衡状態にある。逆に、エラストマー９からなる要素は、同じ図４の右側に示すように、反対側の旋回アーム６Ｂの拘束で荷重を受けて変形する。
【００３０】
旋回アーム６Ｂの拘束において、エラストマー９Ｂからなる要素は、閉多角形断面を有するピン７Ｂの回転により変形する。したがって、エラストマー９Ｂで作られた要素は、回転に抗して開始位置、すなわちそれぞれの車輪２５に荷重がかかっていない位置に戻る傾向がある。
【００３１】
旋回アーム６Ｂのねじれが、閉多角形断面を有する各ピン７と閉多角形断面を有するそれぞれのチャネル３２との間の座位にあるエラストマー９Ｂでできた要素を、どのように変形させ負荷をかけたかに留意されたい。エラストマー９Ｂで作られたこれらの要素はすべての意図および目的においてばねのように振舞う。したがって、実際に、エラストマー９で作られた要素は、車両１００のサスペンショングループ３の弾性部分であり、従来の鋼製ばね、板ばねまたは空気ばねと置き換えることができる。
【００３２】
圧縮下で応力を加えられたエラストマーのヒステリシスの既知の特性により、この特定の場合のように、エラストマー９Ｂからなる要素は、ダンパーなしの機械的なばねや板ばねで生じる突然で「無制御」な復帰を防止しつつ、初期状態への復帰が制御されたやり方で起こるため、ダンパー要素としても作動する。
【００３３】
したがって、閉多角形断面を有するピン７が旋回アーム６の拘束を構成する、すなわち、旋回アーム６を定位置に保持する構成であるということができる。閉多角形断面を有するピン７は同時に、サスペンショングループ３の反応の構成である。なぜなら、それらは、回転することができ、車両１００が走行している間に作用する衝突と力を吸収することができ、同様に、応力が停止すると、それぞれの旋回アーム６を制御されたやり方で初期の平衡状態に戻すことができるからである。
【００３４】
これらの技術的特徴は、サスペンショングループ３が、反応拘束サスペンショングループとして作動することを可能にする。各単一の旋回アーム６は、反対側の旋回アーム６が作用するエラストマー９からなる要素とは別個で独立した自己のエラストマー９からなる一連の要素に作用することに留意されたい。従って、車両１００は完全に独立した車輪を有する車両である。旋回アーム６は実際に、互いに独立に、かつ、ヒンジ８によるサスペンショングループ３に関するメインフレーム２の回転に対して独立に回転する。
【００３５】
図５および図６は、進行方向に対してそれぞれ左および右に傾斜した車両１００を示している。サスペンショングループ３の本体１２が、ピンまたはヒンジ８を介してメインフレーム２にヒンジ結合されているため、このようなメインフレーム２はピンまたはヒンジ８の軸に沿って自由に回転することができる。この動きはチルティング（傾斜）と呼ばれ、この場合、車両の傾斜軸はピンまたはヒンジ８の軸と一致している。
【００３６】
図５は、メインフレーム２が左側に向かって２０°傾斜した状態の車両１００を示しているが、サスペンショングループ３は地面に対して平行のままである。サスペンショングループ３はしたがって、閉多角形断面を有するピン７によって本体１２に拘束された旋回アーム６を独立に動かしながら、車両１００の動きによって起こり得る応力をアシストする可能性を維持している。キャンバータイロッド２０によって車輪がメインフレーム２の傾斜にどのように追従するかに留意すべきである。
【００３７】
図７〜図１２は、本発明によるチルティング車輪を有する車両１００の第２の実施形態を示している。本実施形態では、サスペンショングループ３は、車両１００の中心軸に沿って長手方向に配置された閉多角形断面を有する単一の要素またはピン７を有している。閉じた多角形断面を有する単一要素またはピン７は、ピンまたはヒンジ８を介し、ボールベアリングまたは滑り要素４を介在させることによってピンまたはヒンジ８上で自由に回転することができるメインフレーム２に接合されている。締結リング５は、単一要素またはピン７がメインフレーム２から引き抜かれることを防止する。
【００３８】
閉多角形断面を有する単一要素またはピン７はまた、エラストマー９からなる要素が係合する座部でもあり、その上に、各車輪２５の２つの旋回アーム６、１つは右サスペンション用および１つは左サスペンション用の旋回アーム６が交互に固定される。閉多角形断面を有する単一要素またはピン７への旋回アーム６の弾性拘束は、エラストマー９からなる要素の介在と各旋回アーム６の１つ以上のクランプ３０による締付けによって行われる。クランプ３０は、閉多角形断面を有する要素またはピン７と閉多角形断面を有するそれぞれのチャネル３２との間で、エラストマー９からなる要素を圧縮する。本実施形態では、閉多角形断面を有するチャネル３２は、一部は各旋回アーム６の成形された端部および一部は各クランプ３０から得られる。対応する旋回アーム６の成形された端部への各クランプ３０の固定は、ねじ３１によって行われる。
【００３９】
閉多角形断面を有する単一要素またはピン７は、したがって、例えば図９に示されるように、旋回アーム６が互いに独立して周りで回転するピンを構成する。同時に、閉多角形断面を有する単一要素またはピン７は、図１０、図１１および図１２に示すように、車両１００の傾斜運動を可能にするようにピンまたはヒンジ８を介してメインフレーム２を中心に回転する。換言すると、図７〜１２に示す車両１００において、左旋回アームがその周りで回転するピンと、右旋回アームがその周りで回転するピンと、最後に全サスペンショングループが本体１２に対してその周りで回転するピンは一致し、平行四辺形の完全な幾何学的形状を形成する。
【００４０】
本実施形態においても、各単一の旋回アーム６は、反対側の旋回アーム６が作用するエラストマー９からなる要素とは別個で独立した自己の一連のエラストマー９からなる要素に作用することに留意されたい。車両１００はしたがって、完全に独立した車輪を持つ車両である。また、本実施形態では真に、旋回アーム６は、互いに他のものから独立して回転し、および、ヒンジ８を介してサスペンショングループ３を中心とするメインフレーム２の回転から独立して回転する。
【００４１】
図９に示すように、単一の旋回アーム６は、メインフレーム２に対して静止したままの閉多角形断面を有する単一要素またはピン７に対して、エラストマー９を圧縮しながら回転させる（直線移動における粗さ吸収の状態）。これと相違して、図１０、１１および１２に示すように、車両１００の傾斜運動を実行するためには、閉多角形断面を有する単一要素またはピン７は、ピンまたはヒンジ８を介してメインフレーム２を中心に回転する。車両１００の走行中に、これら２つの効果は、ドライバーおよび路面による応力により、合わせて加わる。
【００４２】
サスペンショングループ３の相違する実施形態を除いて、構成および他の構成要素の動作に関する限り、図７〜図１２に示す車両１００は、図１〜図６に示すものと実質的に同一である。
【００４３】
このように、本発明による反応拘束サスペンションを有する３つ以上のチルティング車輪を有する車両は、先に強調した目的を達成することが分かった。実際に、独立した車輪を有し、減衰システムを有し、チルティング車輪を有する車両用のサスペンショングループが、鋼または空気ばねの使用や、いかなる機能のためのオイルの使用も必要とせずに作られる。
【００４４】
本発明の対象サスペンショングループは、機械的な終端ストロークなしに両方向（圧縮および伸張）への車輪の偏位を可能にする。弾性要素とダンパーのばね下質量は実質的にゼロである。旋回アームおよびタイロッドの質量は低く、チルティング軸の周りに集中している。本発明の対象サスペンショングループはしたがって、構造的に単純かつ極めて軽量である。
【００４５】
これらの特徴の組み合わせは、部品点数を入れても、非常に低い産業コストで、高いレベルの動的品質と快適さを有する車両を製造することを可能にする。ブレーキキャリパーのみを除いてここに記載され図示された全ての構成要素は、前車軸の右側又は左側に使用されても同一であり、従って設計経済性を最大にし、技術支援管理を簡単にする。最後にオイルがいかなる機能にも使用されないという事実は、これは一方において従来のダンパーの構造では常に生じるが、環境の観点からさらなる利点を構成する。
【００４６】
このようにして考え出された本発明の反応拘束サスペンションを備えた３つ以上のチルティング車輪を有する車両は、いかなる場合も多数の改変および変形を受けることができ、それらはすべて同じ発明概念によってカバーされ、さらに、すべての細部は技術的に均等の要素に置き換えることができる。実際には、使用される材料は、形状およびサイズと同様に、技術的要求に応じて如何なるものでもよい。
【００４７】
したがって、本発明の保護範囲は添付の特許請求の範囲によって規定される。
【図１】
2019525870.tif 000003
【図２】
2019525870.tif 000004
【図３】
2019525870.tif 000005
【図４】
2019525870.tif 000006
【図５】
2019525870.tif 000007
【図６】
2019525870.tif 000008
【図７】
2019525870.tif 000009
【図８】
2019525870.tif 000010
【図９】
2019525870.tif 000011
【図１０】
2019525870.tif 000012
【図１１】
2019525870.tif 000013
【図１２】
2019525870.tif 000014
【国際調査報告】
2019525870.tif 000015
2019525870.tif 000016